(57)【要約】【課題】カテーテルをいったん留置した後に回転方向または進退方向に移動させることによる体内でのカテーテル先端位置の調整が簡便に行え、小形で、しかもＭＲＩなどの強力な磁場領域での測定の際に取り外す必要のないカテーテル固定具を提供する。【解決手段】カテーテル１よりも低硬度の樹脂にて形成され長手方向のスリットを有する円筒状の保持具１１と、保持具１１を外周より押圧してその内腔に挿通されたカテーテル１を固定する樹脂製のクリップ１６とを備える。クリップ１６のインナーホルダー１７は、アウターハウジング１８との嵌合が解除されているときには、保持具１１に被せることができる大きさの内径を有する。クリップ１６を保持具１１に被せてインナーホルダー１７とアウターハウジング１８とを嵌合させたときに、アウターハウジング１８によってインナーホルダー１７の内径を縮小させることで、保持具１１を挟持する。【選択図】図１
2008212434.tif 000002
【特許請求の範囲】
【請求項１】
管状の留置カテーテルを固定するための固定具であって、カテーテルよりも低硬度の樹脂にて形成され長手方向のスリットを有する円筒状の保持具と、この保持具を外周より押圧して保持具の内腔に挿通されたカテーテルを固定する樹脂製のクリップとを備え、このクリップはインナーホルダーとアウターハウジングとが互いに嵌合および嵌合解除可能とされており、インナーホルダーは、アウターハウジングとの嵌合が解除されているときには、その内径が、このインナーホルダーを保持具に被せることができる大きさであり、前記固定具は、クリップを保持具に被せてインナーホルダーとアウターハウジングとを嵌合させたときにアウターハウジングによってインナーホルダーの内径を縮小させることで保持具を挟持可能であることを特徴とするカテーテル固定具。
【請求項２】
インナーホルダーとアウターハウジングとは、インナーホルダーにアウターハウジングが被せられた状態で互いに軸心方向にスライド自在であって、このスライドにより嵌合状態と嵌合解除状態とに切り替え可能であり、嵌合状態において、インナーホルダーとアウターハウジングとの間のくさび作用によってインナーホルダーの内径を縮小させるものであることを特徴とする請求項１記載のカテーテル固定具。
【請求項３】
インナーホルダーとアウターハウジングとを嵌合状態に保持するための保持手段を有することを特徴とする請求項１または２記載のカテーテル固定具。
【請求項４】
インナーホルダーとアウターハウジングとの離脱を防止した状態でこれらインナーホルダーとアウターハウジングとを連結するための連結手段を有することを特徴とする請求項１から３までのいずれか１項記載のカテーテル固定具。
【発明の詳細な説明】
【技術分野】
【０００１】
本発明は、医療分野で利用されるカテーテル固定具に関するものであり、詳しくは、カテーテルを皮膚に固定する際に用いられるカテーテル固定具に関するものである。
【背景技術】
【０００２】
カテーテルを患者の皮膚に固定する手段としては、（１）カテーテルの体外部を粘着テープで皮膚に固定する方法、（２）カテーテルの体外部を直接縫合糸で皮膚に固定する方法、（３）カテーテルの体外部に設けられた縫合糸固定部を介して縫合糸で皮膚に固定する方法、（４）皮下トンネルを作製して外面にカフのついたカテーテルを挿入しカフと皮下組織とを癒着させる方法等がある。このうち、
【０００３】
（１）の方法は、カテーテルを簡便に固定できるが、元来固定力が弱く、患者の汗や体液や消毒剤が、皮膚、カテーテル、粘着テープ等に付着すると、固定力が大幅に低下する危険性がある。
【０００４】
（２）の方法は、カテーテルを直接縫合糸で縛るのでカテーテルが傷つき易く、キンクや漏れが生じやすく、最悪の場合には切断が発生する可能性がある。
【０００５】
（３）の方法は、（２）の方法を改良したもので、最も普及している。ところで、カテーテルは、流量低下などのトラブルの際に、回転方向または進退方向にある程度移動させて調整を行いたい場合がある。さらに、透析等の体外循環用カテーテルでは、留置される血管の位置によっては血流不足を生じ易く、このため頻繁なカテーテルの位置移動を余儀なくされる場合が多い。しかし、（３）の方法のようにカテーテルをいったん留置固定してしまうと、上記のようにカテーテルを移動させたい場合や移動を余儀なくされる場合には、皮膚に固定した縫合糸をその度毎に切断しなければならないうえに、移動後に再度縫合しなければならず、このため医師や患者に負担を強いることがある。
【０００６】
これらの問題を解決するために（３）の応用法として、カテーテルの回転のみが可能なカテーテル固定具や、さらにはクリップ等によって固定することで、その固定状態を解除可能とすることにより、カテーテルの回転、進退が可能な固定具が開発されている（特許文献１）。この特許文献１のものは、底面に軸方向にスリットが形成された円筒状の軟質樹脂製の保持具を、金属製のΩ形のバネである挟着部材にて挟持することにより、カテーテルを固定するものである。
【０００７】
しかし、金属製のクリップであると、ＭＲＩ（核磁気共鳴診断装置）など磁場領域下で測定する画像診断法を利用する場合には取り外すことが必要となり、臨床上の使用において問題がある。その対策としてΩ形のバネを樹脂で形成しようとすると、一般的な樹脂の強度で金属と同等の挟持力を得るためには大型化することが必要となり、このため実際の使用には大きすぎて支障が生じる問題がある。
【０００８】
この対策として、カテーテル保持具と保持具のカバーとが一体構造になった樹脂製の固定具が開発されている（特許文献２、３）。しかし、保持具の外径よりやや小さいカバー等で保持具を圧縮押圧するため、一度留置固定してしまうと、回転方向または進退方向の移動による血管内のカテーテル先端の位置調整が容易には行えない問題がある。
【特許文献１】特開平９−７５４６３号公報
【特許文献２】特開２００２−３６０７０５号公報
【特許文献３】特開２００３−１５４０１２号公報
【発明の開示】
【発明が解決しようとする課題】
【０００９】
本発明は、カテーテルを皮膚に固定するための固定具であって、カテーテルをいったん留置した後に回転方向または進退方向に移動させることによる体内でのカテーテル先端位置の調整が簡便に行え、小形で、しかもＭＲＩなどの強力な磁場領域での測定の際に取り外す必要のないカテーテル固定具を提供することを目的とするものである。
【課題を解決するための手段】
【００１０】
本発明の、管状の留置カテーテルを固定するための固定具は、カテーテルよりも低硬度の樹脂にて形成され長手方向のスリットを有する円筒状の保持具と、この保持具を外周より押圧して保持具の内腔に挿通されたカテーテルを固定する樹脂製のクリップとを備え、このクリップはインナーホルダーとアウターハウジングとが互いに嵌合および嵌合解除可能とされており、インナーホルダーは、アウターハウジングとの嵌合が解除されているときには、その内径が、このインナーホルダーを保持具に被せることができる大きさであり、前記固定具は、クリップを保持具に被せてインナーホルダーとアウターハウジングとを嵌合させたときにアウターハウジングによってインナーホルダーの内径を縮小させることで保持具を挟持可能であることを特徴とするものである。
【００１１】
本発明によれば、上記において、インナーホルダーとアウターハウジングとは、インナーホルダーにアウターハウジングが被せられた状態で互いに軸心方向にスライド自在であって、このスライドにより嵌合状態と嵌合解除状態とに切り替え可能であり、嵌合状態において、インナーホルダーとアウターハウジングとの間のくさび作用によってインナーホルダーの内径を縮小させるものであることが好適である。
【００１２】
また本発明によれば、インナーホルダーとアウターハウジングとを嵌合状態に保持するための保持手段を有することが好適である。
また本発明によれば、インナーホルダーとアウターハウジングとの離脱を防止した状態でこれらインナーホルダーとアウターハウジングとを連結するための連結手段を有することが好適である。
【発明の効果】
【００１３】
本発明によれば、カテーテルよりも低硬度の樹脂にて形成された保持具を用いることによりカテーテルの変形を防止しつつ、クリップのインナーホルダーとアウターハウジングとを互いに嵌合させることでカテーテルを極めて簡単かつ確実に患者の体表面に固定することができる。さらにクリップのインナーホルダーとアウターハウジングとの嵌合を解除するだけの簡単な方法で一時的に固定を解除することができ、しかもその後に再固定することができる。また、クリップは、樹脂製であることから、ＭＲＩなどの強力な磁場領域での測定の際に取り外す必要がなく、そのままで検査を受けることができる。
【発明を実施するための最良の形態】
【００１４】
図１２は、本発明の固定具が適用されるダブルルーメンカテーテルの一例を示す。ここで１はカテーテルの本体部で、内腔を２つ有するチューブ状に形成されており、その先端部２から一定範囲が体内に挿入される。
【００１５】
カテーテルの本体部１における体外に位置する部分には、保持具１１が外ばめされている。この保持具１１は、カテーテルの本体部１よりも低硬度の材料にて形成されており、図１２および図１３に示すように、円筒状のホルダ部１２と、このホルダ部１２から両方の側方に向けて形成された一対の平板状の翼状部１３とを一体に有する。翼状部１３には、保持具１１を糸で人体の皮膚に縛り付けるための穴部１４が形成されている。ホルダ部１２には、翼状部１３を人体の皮膚に接触させたときに底部となる部分に、その長さ方向にわたってスリット１５が形成されている。このため保持具１１は、スリット１５を広げることによって、カテーテルの本体部１の側方からこの本体部１に被せることができるように構成されている。保持具１１の内径の大きさは、カテーテルの本体部１に容易に取り付けられ、かつ必要に応じてカテーテルの本体部１を回転方向、進退方向に容易に移動でき、また後述のクリップを装着した状態ではカテーテルの本体部１が勝手に動かない大きさであればよい。具体的には、装着するカテーテルの本体部１の外径とほぼ同じ若しくはそれ以下の大きさであることが好ましい。スリット１５の位置は、特に定めないが、患者への取り付けやすさから保持具１１における患者の皮膚側に形成されていることが好ましい。保持具１１の外周には、この保持具１１に装着される後述のクリップを位置決めするための突起部１９が形成されている。
【００１６】
保持具１１の材質としては、カテーテルの本体部１と密着し皮膚に接触しても抵抗感の少ない材質であるところの、常温付近でゴム弾性を有する軟質の高分子エラストマーが好ましい。たとえば、軟質ポリ塩化ビニル、シリコーンゴム、ポリウレタンをはじめ、スチレン-ブタジエンゴム、ポリイソプレンゴム、スチレン-エチレン−ブチレン-スチレン共重合体、スチレン-エチレン−プロピレン-スチレン共重合体、エチレン-酢酸ビニル共重合体、ナイロン-ポリエーテル共重合体等の合成高分子材料または天然ゴムなどの天然高分子材料が挙げられる。
【００１７】
図１は、カテーテルの本体部１に被せられた保持具１１に、この保持具１１よりも硬質の樹脂製のクリップ１６が装着された状態を示す。このクリップ１６は、円筒状の保持具１１に被せることができるように横断面Ｕ字形ないしＣ字形に形成されるとともに、インナーホルダー１７とアウターハウジング１８とを有した構成である。インナーホルダー１７とアウターハウジング１８とは、インナーホルダー１７にアウターハウジング１８が被せられた状態で、互いに軸心方向にスライド自在である。ここでは、図１に示すように軸心方向に沿ったインナーホルダー１７とアウターハウジング１８との位置が揃ったときに、両者が互いに「嵌合」されていると称する。また、図２および図３に示すようにインナーホルダー１７とアウターハウジング１８とが軸心方向に位置ずれしているときに、両者が「嵌合解除」されていると称する。アウターハウジング１８は、インナーホルダー１７に比べて、たとえば肉厚を大きくするなどによって剛性が高くなるように構成されている。
【００１８】
クリップ１６の具体的な材質としては、保持具１１を覆う形で外周から押圧してカテーテルの本体部１を固定できる強度を持つ必要があることから、上述のように少なくとも保持具１１よりも硬質であることが好ましい。例えば、高分子化合物としては、ポリエチレン、ポリプロピレン、硬質ポリ塩化ビニル、ポリエステル、ポリアミド、ポリエーテルイミド、ポリアセタール、硬質ポリウレタン、ポリカーボネート、ポリメタクリル酸メチル等が挙げられ、これらの物質の混合物または共重合体、さらに強度を高めるために他の樹脂を混合させたものであってもよい。
【００１９】
クリップ１６は、図２および図３に示すようにインナーホルダー１７とアウターハウジング１８との嵌合が解除されているときには、インナーホルダー１７の内径が、たとえばカテーテルの本体部１に被さった状態の保持具１１の外径以上となっている。これにより、インナーホルダー１７を、カテーテルの本体部１に被さった状態の保持具１１にさらに被せることが可能である。また、インナーホルダー１７が保持具１１に被さっていた状態のクリップ１６を保持具１１から取り外すことが可能である。
【００２０】
またクリップ１６は、図１に示すように、インナーホルダー１７とアウターハウジング１８とが互いに嵌合されているようにすることで、アウターハウジング１８によってインナーホルダー１７を縮径させることができ、それによってこのクリップ１６により保持具１１をカテーテルの本体１とともに挟持可能である。
次に、このように作用するクリップ１６の詳細について説明する。
【００２１】
図５〜図７は、インナーホルダー１７の詳細を示す。ここで、２１はその前端部、２２はその後端部である。インナーホルダー１７は、前端部２１から後端部２２にわたって、横断面がＣ形となるように形成されている。このインナーホルダー１７の内周部の径は、図１２および図１３に示すようにカテーテルの本体部１を通した状態の保持具１１の外径以上となるようにされている。前端部２１における一方の半周部分にはフランジ２３が一体に形成され、このフランジ２３にはフック２４が一体に形成されている。
【００２２】
インナーホルダー１７の外面におけるフランジ２３が形成されていない方の側部および形成されている方の側部には、それぞれ凸部２５、２６が一体に形成されている。フランジ２３が形成されていない方の側部の凸部２５は、前端部２１から後端部２２の方に向けて形成されている。フランジ２３が形成されている方の側部の凸部２６は、フランジ２３に連続したうえで、同様に後端部２２の方に向けて形成されている。そして、凸部２５、２６は、その幅寸法は前端部２１の側から後端部２２の側に向けて一定となるように形成されている。これに対し凸部２５、２６の高さは、前端部２１の側から後端部２２の側に向けて徐々に低くなるように形成されている。つまり、凸部２５、２６は、その先端面２７が、前端部２１の側から後端部２２の側に向けて徐々に低くなるような傾斜面として形成されている。
【００２３】
後端部２２の外周において、凸部２５に対応した位置から凸部２６に対応した位置に向けて周方向に距離をおいた位置には、突起２８が一体に形成されている。この突起２８は、前端部２１の方に向くようにインナーホルダー１７の径方向に形成された立ち上がり面２９と、後端部２２の側に向けて徐々に高さが低くなるように形成された傾斜面３０とを有する。
【００２４】
図８および図９は、アウターハウジング１８の詳細を示す。ここで、３３はその前端部、３４はその後端部である。アウターハウジング１８は、前端部３３から後端部３４にわたって、横断面がＵ字形となるように形成されている。前端部３３における、アウターハウジング１８をインナーホルダー１７に被せたときにインナーホルダー１７のフランジ２３が位置する部分とは反対側の半周部分には、フランジ３５が一体に形成されている。このフランジ３５には、アウターハウジング１８をインナーホルダー１７に被せたときにインナーホルダー１７のフランジ２３のフック２４と掛かり合うフック３６が一体に形成されている。
【００２５】
アウターハウジング１８の内面における、アウターハウジング１８をインナーホルダー１７に被せたときにインナーホルダー１７の凸部２５、２６に対応する位置には、それぞれ、これらの凸部２５、２６がはまり込み可能な溝部３７、３８がそれぞれ形成されている。図示のように、溝部３７、３８は、前端部３３の端面３９において開口するとともに、この端面３９から後端部３４の方に向けて形成されている。そして、溝部３７、３８は、その幅寸法は前端部３３の側から後端部３４の側に向けて一定となるように形成されるとともに、その溝深さは、前端部３３の側から後端部３４の側に向けて徐々に浅くなるように形成されている。つまり、溝部３７、３８は、その溝底面４０が、前端部３３の側から後端部３４の側の側に向けて徐々に浅くなるような傾斜面として形成されている。
【００２６】
アウターハウジング１８の内面には、溝部３７、３８と同方向に形成された、さらなる溝部４１が形成されている。この溝部４１には、アウターハウジング１８をインナーホルダー１７に被せたときにインナーホルダー１７の突起２８が入り込み可能である。また溝部４１は、同様に前端部３３の端面３９において開口するとともに、この端面３９から後端部３４の方に向けて形成されている。その溝幅と溝深さは、一定である。溝部４１の内部における端面３９から所定の距離の位置には、突起４２が、アウターハウジング１８と一体に形成されている。この突起４２は、後端部３４の方に向くようにアウターハウジング１８の径方向に形成された立ち上がり面４３と、前端部３３の側に向けて徐々に高さが低くなるように形成された傾斜面４４とを有する。
【００２７】
アウターハウジング１８の後端部３４の内周には、背の低いフランジ４５が一体に形成されている。
【００２８】
クリップ１６は、保持具１１への装着時や後述するインナーホルダー１７とアウターハウジング１８とのスライド時に作業者が手でつまんで操作するものであるが、アウターハウジング１８の側壁には、そのときのすべり止めとして機能する突条４６が一体に形成されている。図１〜図３および図８〜図９に示されたアウターハウジング１８では、カテーテルの本体１の方向と同方向を横方向としたときの縦方向に配置された一対の突条４６が互いに間隔をおいた状態で形成されている。
【００２９】
図１０および図１１は、突条４６の変形例を示す。すなわち、図１０には、突条４６として、アウターハウジング１８の側壁の上部において上記の横方向に形成されたものが示されている。図１１には、突条４６として、図１〜図３および図８〜図９に示された一対の縦方向のものと、図１０に示された側壁上部の横方向のものとが一体化されてコ字形に形成されたものが示されている。
【００３０】
アウターハウジング１８の溝部３７、３８、４１がいずれも前端部３３の端面３９において開口しているため、インナーホルダー１７は、凸部２５、２６を端面３９から溝部３７、３８に挿入するとともに、突起２８を端面３９から溝部４１に挿入するようにして、アウターハウジング１８の内部に、溝部３７、３８、４１の方向にスライドさせながらはめ込むことができる。このはめ込みを行うと、アウターハウジング１８の溝部４１にはめ込まれたインナーホルダー１７の突起２８の傾斜面３０が、アウターハウジング１８の突起４２の傾斜面４４に当たる。その状態で大きなはめ込み力を作用させると、突起２８、４２どうしが互いに押しのけ合うようになり、最終的には、樹脂製のインナーホルダー１７とアウターハウジング１８とが弾性的に変形して、インナーホルダー１７の突起２８がアウターハウジング１８の突起４２の位置をアウターハウジング１８の奥側に向けて通過する。
【００３１】
その後は、インナーホルダー１７とアウターハウジング１８とは、図４（ａ）に示すようにインナーホルダー１７の突起２８がアウターハウジング１８の後端部３４の側からアウターハウジング１８の突起に当たる位置と、図４（ｂ）に示すようにインナーホルダー１７がアウターハウジング１８の内部に入り込んでしまう位置との間で、互いにスライド自在である。図４（ａ）に示すように、インナーホルダー１７の突起２８の立ち上がり面２９が、アウターハウジング１８の後端部３４の側からアウターハウジング１８の突起４２の立ち上がり面４３に当たるものであるため、インナーホルダー１７とアウターハウジング１８とが互いに離脱することが防止される。すなわち、突起２８、４２によって、インナーホルダー１７とアウターハウジング１８とを離脱防止状態で連結する連結手段が構成されている。図４（ａ）は、図２および図３に示す嵌合解除された状態を、横断面Ｕ字形ないしＣ字形のインナーホルダー１７およびアウターハウジング１８の開口側から見た状態を示すものである。また図４（ｂ）は、図１に示す嵌合された状態を、同様に開口側から見た状態を示すものである。
【００３２】
図４（ａ）では、インナーホルダー１７は変形を受けていない自然な状態にある。この状態から、インナーホルダー１７とアウターハウジング１８とを互いにスライドさせることで、図４（ｂ）に示すようにインナーホルダー１７がアウターハウジング１８の内部に入り込みアウターハウジング１８がインナーホルダー１７に十分に被さった状態とすることができる。
【００３３】
図４（ｂ）の状態になると、インナーホルダー１７の凸部２５、２６がアウターハウジング１８の溝部３７、３８の奥側まで入り込む。そして、この状態となったときに、インナーホルダー１７の傾斜した凸部２５、２６の高さが、これに対応するアウターハウジング１８の溝部３７、３８の深さよりも大きくなるように、各部の寸法が設定されている。すると、上述のようにアウターハウジング１８の方がインナーホルダー１７よりも剛性が高いため、くさび作用により溝部３７、３８の溝底面４０、４０が凸部２５、２６の先端面２７、２７を押して、図４（ｂ）（ｃ）に示すようにインナーホルダー１７が縮径されるように弾性的に変形する。
【００３４】
つまり、図２および図３に示すように、図４（ａ）に示す状態すなわち嵌合解除された状態でクリップ１６を保持具１１に被せ、次にインナーホルダー１７とアウターハウジング１８とを互いにスライドさせると、図４（ｂ）と図４（ｃ）の仮想線とで示す状態すなわち嵌合された状態となる。これにより、保持具１１を挟持して弾性的に縮径させ、それによってカテーテルの本体部１を確実にクランプして留置固定することができる。
【００３５】
この状態から、インナーホルダー１７とアウターハウジング１８とを互いにスライドさせて、再び図４（ａ）および図２、３に示す状態とすることもでき、そのための操作は容易である。このため、必要に応じて保持具１１によるカテーテルの本体１の固定状態を解除して、その回転、進退を容易に行うことができる。
【００３６】
なお、インナーホルダー１７の凸部２５、２６とアウターハウジング１８の溝部３７、３８とは、それぞれ一つ以上設けられていれば足りる。ただし、上記のように二つ設けると、安定したクランプ力を発生させることができる。あるいは、インナーホルダー１７の外周面の全体とアウターハウジング１８の内周面の全体とをそれぞれテーパ面として、これらテーパ面どうしの間でくさび作用を発揮させることもできる。
【００３７】
保持手段としての、インナーホルダー１７のフランジ２３のフック２４と、アウターハウジング１８のフランジ３５のフック３６とは、次のように構成されている。すなわち、フック２４の端部には傾斜面４７が形成され、フック３６の端部には傾斜面４８が形成されている。これら傾斜面４７、４８は、図１に示す嵌合状態において互いに接触あるいは近接しており、この嵌合状態から図２および図３に示す嵌合解除状態に変化しようとするときに互いに押圧力を作用させ合うことができる向きに形成されている。すなわちアウターハウジング１８の傾斜面４８はその後端部３４の側に向くように傾斜して形成されており、インナーホルダー１７の傾斜面４７は、その反対向き、すなわち前端部２１の端面の側に向くように傾斜して形成されている。
【００３８】
このため、図１に示す嵌合状態では、インナーホルダー１７とアウターハウジング１８とが互いに自由にスライドすることが防止され、この嵌合状態に保持することが可能である。
【００３９】
嵌合状態から、大きな力を加えてインナーホルダー１７とアウターハウジング１８とを互いにスライドさせようとすると、傾斜面４７を備えたフック２４すなわちフランジ２３と、傾斜面４８を備えたフック３６すなわちフランジ３５とが弾性的に変形して、傾斜面４７、４８どうしが当たることによるフック２４、３６どうしの掛かり合い状態が解除され、それによって図２および図３に示す嵌合解除状態に変化させることが可能である。
【００４０】
反対に、図２および図３に示す嵌合解除状態から、インナーホルダー１７とアウターハウジング１８とを互いにスライドさせ、フック２４、３６どうしを接近させると、これらフック２４、３６どうしが当たることになるが、大きな力を作用させることで同様の弾性変形が起って、図１に示す嵌合状態を達成することが可能である。
【００４１】
なお、クリップ１６は、保持具１１を外周より押圧するものであるので、保持部１１の内部に挿通したカテーテルの本体部１に不均一な変形が生じにくい。しかも、保持具１１は比較的軟質の有機高分子エラストマーにて構成されているため、クリップ１６により過度に締め付けられても、この保持具１１が変形することにより干渉作用を奏するので、保持具１１に内挿されたカテーテルの本体部１に過度の力がかかることがなく、カテーテルの本体部１に不測の変形が生じることを防止でき、カテーテルの本体部１の所定の断面形状を常に維持できるので、カテーテルを保持固定することによる流量の低下を防止することができる。また、クリップ１６は、上記のように保持具１１への締付力を簡単に開放したり、かつ片手で再度加えたりすることができるので、上述のようにカテーテルの本体部１についての進退方向・回転方向の固定位置の調整を簡便に行うことができる。
【００４２】
上記においては、インナーホルダー１７に凸部２５、２６を形成し、アウターハウジング１８に溝部３７、３８を形成したものについて説明したが、インナーホルダー１７に溝部を形成するとともにアウターハウジング１８に凸部を形成した構成としても、同様に機能させることができる。そのようにしても、嵌合および押圧に影響はない。インナーホルダー１７とアウターハウジング１８との離脱を防止するための、突起４２を有した溝部４１と突起２８との組み合わせについても、インナーホルダー１７とアウターハウジング１８との構成を逆にすることが可能である。
【００４３】
インナーホルダー１７とアウターハウジング１８とは、上記のように連結手段としての互いの突起２８、４２どうしが当たることによって離脱が防止されるものであり、このようにして一つの連結されたデバイスとした方が、パーツの数が減り煩雑性が解消されるために、使用上好ましい。このために両者を連結する手段としては、上記の具体的な構成のように、スライド可能で一度連結させたら分離し難い構成であれば、任意のものであってもよい。
【００４４】
上記においては、図１２に示した、カテーテルの内腔および体外部の枝管を二つ有するダブルルーメンカテーテルの本体部１を挿通させた保持具１１とクリップ１６とを備えたカテーテル固定具について説明した。しかし、カテーテルの種類はこれに限られるものではなく、シングルルーメンカテーテル、カテーテル本体の内腔および体外部の枝管をそれぞれ三つ有するトリプルルーメンカテーテルの他、カテーテル本体の内腔および枝管が四つ以上あるものであってもよい。またカテーテルは、体液の排出、体液の循環、輸液や潅流液の注入あるいは排出、または検査のために体内へ挿入される医療用のチューブであれば、いかなるものであってもよい。
【図面の簡単な説明】
【００４５】
【図１】本発明の実施の形態のカテーテル固定具の全体斜視図である。
【図２】図１のカテーテル固定具の嵌合解除状態を示す斜視図である。
【図３】図１のカテーテル固定具の嵌合解除状態を示す別の斜視図である。
【図４】図１のカテーテル固定具の嵌合状態および嵌合解除状態を示す図である。
【図５】図１のカテーテル固定具におけるインナーホルダーの斜視図である。
【図６】同インナーホルダーの別の斜視図である。
【図７】同インナーホルダーを示す別の図である。
【図８】図１のカテーテル固定具におけるアウターハウジングの斜視図である。
【図９】同アウターハウジングの別の斜視図である。
【図１０】本発明の固定具におけるアウターハウジングの突条の変形例を示す図である。
【図１１】本発明の固定具におけるアウターハウジングの突条の他の変形例を示す図である。
【図１２】本発明の固定具を用いることができるカテーテルの一例を示す図である。
【図１３】図１２のカテーテルにおける要部の斜視図である。
【符号の説明】
【００４６】
１    カテーテルの本体部
１１    保持具
１６    クリップ
１７    インナーホルダー
１８    アウターハウジング
２４    フック
２５    凸部
２６    凸部
２８    突起
３６    フック
３７    溝部
３８    溝部
４２    突起
【図１】
2008212434.tif 000003
【図２】
2008212434.tif 000004
【図３】
2008212434.tif 000005
【図４】
2008212434.tif 000006
【図５】
2008212434.tif 000007
【図６】
2008212434.tif 000008
【図７】
2008212434.tif 000009
【図８】
2008212434.tif 000010
【図９】
2008212434.tif 000011
【図１０】
2008212434.tif 000012
【図１１】
2008212434.tif 000013
【図１２】
2008212434.tif 000014
【図１３】
2008212434.tif 000015